(57)【要約】【課題】優れた滑り止め効果を有するだけでなく、滑り止め部材の密着性を高め、しかも、容易に取付けが可能であり、製造コストも削減することができる髪止め具の製造方法及び髪止め具を提供することを目的とする。【解決手段】頭髪を挟持する外側挟持片と、前記外側挟持片の一端に連結される内側挟持片とからなる一対の挟持片の少なくとも前記内側挟持片に滑り止め部材を備える髪止め具の製造方法であって、前記滑り止め部材となるシリコンチューブを無水エタノールとベンジンからなる溶液に浸す工程と、前記溶液に浸すことで膨張させた前記シリコンチューブを挿通する工程と、挿通した前記シリコンチューブを乾燥させて前記内側挟持片に被着する工程とを備えることを特徴としている。【選択図】 図１
2018068530.tif 000002
【特許請求の範囲】
【請求項１】
頭髪を挟持する外側挟持片と、前記外側挟持片の一端に連結される内側挟持片とからなる一対の挟持片の少なくとも前記内側挟持片に滑り止め部材を備える髪止め具の製造方法であって、
前記滑り止め部材となるシリコンチューブを無水エタノールとベンジンからなる溶液に浸す工程と、
前記溶液に浸すことで膨張させた前記シリコンチューブを挿通する工程と、
挿通した前記シリコンチューブを乾燥させて前記内側挟持片に被着する工程とを備えることを特徴とする髪止め具の製造方法。
【請求項２】
前記溶液は、無水エタノールとベンジンとの体積比が６：４〜５：５であることを特徴とする請求項１に記載の髪止め具の製造方法。
【請求項３】
外側挟持片と、前記外側挟持片の一端に連結される内側挟持片とからなり、頭髪を挟持する一対の挟持片と、
少なくとも前記内側挟持片の外形に沿うように被着される滑り止め部材は、シリコン製で無水エタノールとベンジンからなる溶液に浸した後に乾燥させて被着したものであることを特徴とする髪止め具。
【請求項４】
前記滑り止め部材は、前記挟持片の長手寸法より短く設定される請求項３に記載の髪止め具。
【発明の詳細な説明】
【技術分野】
【０００１】
本発明は、滑り止めを備える髪止め具の製造方法及び髪止め具に関するものである。
【背景技術】
【０００２】
従来の髪止め具においては、金属や合成樹脂からなる挟持片に、摩擦抵抗の大きいチューブ状の滑り止め部材をそのまま挿通して被着されたものが用いられていた。またこれ以外にも、滑り止め部材を容易に取り付けることができ、かつ、剥がれ難くするため、例えば、ポリオレフィンを主原料とする熱収縮性チューブ等を挟持片に挿通し、熱収縮させて挟持片に被着させるものも用いられていた。
【発明の概要】
【発明が解決しようとする課題】
【０００３】
しかしながら、挟持片に対して摩擦抵抗の大きい滑り止め部材を使用した場合には、そのまま挟持片に挿通して装着するには滑りが悪く手間や時間がかかるという問題があった。
【０００４】
また、ポリオレフィンを主原料とする熱収縮チューブを用いた場合においては、表面の摩擦抵抗が小さいため、頭髪に装着した際に滑り落ち易くなるばかりでなく、熱収縮チューブが熱風で加熱収縮されて挟持片に被着されるため、多量の電力を要するという問題もあった。
【０００５】
そこで、本発明はこのような問題点に鑑み、優れた滑り止め効果を有するだけでなく、滑り止め部材の密着性を高め、しかも、容易に取付けが可能であり、製造コストも削減することができる髪止め具の製造方法及び髪止め具を提供することを目的とする。
【課題を解決するための手段】
【０００６】
前述した目的を達成するために、本発明の請求項１に記載の髪止め具の製造方法は、頭髪を挟持する外側挟持片と、前記外側挟持片の一端に連結される内側挟持片とからなる一対の挟持片の少なくとも前記内側挟持片に滑り止め部材を備える髪止め具の製造方法であって、前記滑り止め部材となるシリコンチューブを無水エタノールとベンジンからなる溶液に浸す工程と、前記溶液に浸すことで膨張させた前記シリコンチューブを挿通する工程と、挿通した前記シリコンチューブを乾燥させて前記内側挟持片に被着する工程とを備えることを特徴とするものである。
【０００７】
また、本発明の請求項２に記載の髪止め具の製造方法は、請求項１に記載の髪止め具の製造方法において、前記溶液の無水エタノールとベンジンとの体積比が６：４〜５：５であることを特徴とするものである。
【０００８】
また、本発明の請求項３に記載の髪止め具は、外側挟持片と、前記外側挟持片の一端に連結される内側挟持片とからなり、頭髪を挟持する一対の挟持片と、少なくとも前記内側挟持片の外形に沿うように被着される滑り止め部材が、シリコン製で無水エタノールとベンジンからなる溶液に浸した後に乾燥させて被着したものであることを特徴とするものである。
【０００９】
また、本発明の請求項４に記載の髪止め具は、請求項３に記載の髪止め具において、前記滑り止め部材が、前記挟持片の長手寸法より短く設定されるものである。
【発明の効果】
【００１０】
本発明の髪止め具の製造方法及び髪止め具によると、優れた滑り止め効果を有するだけでなく、使用状況等によっても滑り止め部材が剥がれ難くなるよう滑り止め部材の密着性を高め、しかも、容易に取付けが可能であり、製造コストも削減することができる。
【図面の簡単な説明】
【００１１】
【図１】本発明の第一の実施形態における髪止め具の斜視図である。
【図２】本発明の第一の実施形態における髪止め具の図１のＡ−Ａ端面図である。
【図３】本発明の第一の実施形態における髪止め具の滑り止め具を被着する工程図である。
【図４】本発明の第二の実施形態における髪止め具の斜視図である。
【図５】本発明の第三の実施形態における髪止め具の斜視図である。
【発明を実施するための形態】
【００１２】
以下、本発明の実施形態における髪止め具の製造方法及び髪止め具を図面に基づいて説明する。
【実施例】
【００１３】
本発明の第一の実施形態に係る髪止め具は、図１及び図２に示すように、主に、頭髪を挟持する外側挟持片２０と、外側挟持片２０の一端に連結される内側挟持片３０とからなる一対の挟持片１０と、少なくとも内側挟持片３０の外形に沿うように被着される滑り止め部材４０とを備えて構成される。
【００１４】
一対の挟持片１０は、髪止め具を頭髪に装着した状態において、外側に位置する外側挟持片２０と、頭皮側に位置する内側挟持片３０とから構成される。
【００１５】
外側挟持片２０及び内側挟持片３０は、例えば、ステンレスやニッケルメッキした鉄等から形成され、外側挟持片２０の一端が内側挟持片３０の一端と連結部１１を介して連結されており、図３（ａ）に示すように、使用前の外側挟持片２０と内側挟持片３０とが離間した状態で、側面視にて全体として略く字状となるよう構成される。
【００１６】
また、使用時においては、連結部１１を支持した状態で外側挟持片２０の先端を内側挟持片３０側へ押圧することにより、外側挟持片２０の弾性作用によって、外側挟持片２０を内側挟持片３０側に沿うように湾曲させて、外側挟持片２０と内側挟持片３０との間に頭髪を挟持し得る構成としている。
【００１７】
より詳細には、外側挟持片２０は、例えば、略楕円状に形成され、略中央部が間隙１２として切り欠かれており、内側挟持片３０が連結部１１を介して間隙１２の略中央部に配設されるよう構成される。また、外側挟持片２０は、側面視にて内側挟持片３０側の下方へ凸状となるよう湾曲されるとともに、内側挟持片３０における長手方向の略中央部を山状に複数回折曲させた折曲部３２が形成され、内側挟持片３０の基端部３１にて外側挟持片２０と連結された状態となっている。
【００１８】
また、外側挟持片２０の外側に位置する表面は、皮、合成樹脂等で飾り部２１とすることもできる。さらに、内側挟持片３０は、長手方向に沿う長孔３３を設けることもできる。
【００１９】
また、少なくとも内側挟持片３０には、内側挟持片３０の外形に沿うようにして滑り止め部材４０が被着される。例えば、図２に示すように、内側挟持片３０が断面視にて、横長の矩形状に形成される場合においては、当該矩形状に沿うように密着してなる。ここで内側挟持片３０の外形に沿うように被着するとは、滑り止め部材４０が完全に密着するものに限られず、内側挟持片３０と当該部材との間に微小な空間を有した状態で被着されるものをも含む趣旨である。
【００２０】
滑り止め部材４０は、シリコン製のチューブであり、挟持片１０の長手寸法より短く設定される。そして髪止め具の製造に際しては、まずシリコンチューブを無水エタノールとベンジンからなる溶液５０に浸して膨張させ、次に溶液５０に浸すことで膨張させたシリコンチューブを内側挟持片３０に挿通して、挿通したシリコンチューブを乾燥させて内側挟持片３０に被着させる。
【００２１】
より詳細には、図３（ａ）に示すように、内側挟持片３０の長手寸法より短くカットした複数のシリコンチューブを、金属製の水切りカゴ６０に入れ、無水エタノールとベンジンからなる溶液５０に２〜３分間浸す。溶液５０に浸されたシリコンチューブは、１０％〜２０％程度膨張するため、外側挟持片２０と内側挟持片３０の両挟持片を解放させた状態における内側挟持片３０に挿通可能となるうえ、溶液５０を含んだ状態で滑り易くなっているため、折曲部３２を乗り越え容易に挿通可能となる（図３（ｂ））。そして、挿通されたシリコンチューブは、図３（ｃ）に示すように、両挟持片が解放された状態において５〜６分程度自然乾燥されることで元の大きさに収縮し、内側挟持片３０の外形に沿うように被着される。シリコンチューブが被着された内側挟持片３０は、図３（ｄ）に示すように、両挟持片が閉じた状態とされることで、外側挟持片２０と側面視で一部が重なり、頭髪を確実に挟持できる状態となる。
【００２２】
シリコンチューブは、例えば、ＫＥ−５６１−Ｕ（信越化学工業株式会社製）を使用することができる。本実施形態では、外径４ｍｍ、内径２ｍｍ又は外径６ｍｍ、内径４ｍｍのシリコンチューブが使用されており、シリコンが有する粘着性により頭髪に対して優れた滑り止め効果を有する。
【００２３】
本実施例においては、シリコンチューブを膨張させるための溶液５０として、無水エタノールとベンジンとの体積比が６：４〜５：５のものが用いられており、この比率とすることで１０％〜２０％程度の膨張率を確保できることに加え、浸した後のシリコンチューブの脆化を防ぐことができる。さらには、無水エタノールとベンジンとの体積比は５：５であることがより好ましく、膨張させることに加え液体に濡らした状態とすることで内側挟持片３０への取付けが容易となる。さらに、挟持片１０に被着した後においても、密着性が確保され剥がれにくいものとなる。また、従来の滑り止め部材４０を収縮させる工程で使用していた、熱風を発生させる装置等が不要となることで、使用電力を大幅に減らすことができ、製造コストを削減することができる。
【００２４】
本発明の実施形態２に係る髪止め具について、図４に基づいて説明する。本実施形態２における髪止め具は、主に外側挟持片２０と内側挟持片３０とからなり、外側挟持片２０の一端で略１８０度折り返して内側挟持片３０と連結する連結部１１を介して一体に形成されている。
【００２５】
本発明の実施形態３に係る髪止め具について、図５に基づいて説明する。本実施形態３における髪止め具は、主に外側挟持片２０と内側挟持片３０とからなり、内側挟持片３０は、連結部１１を介して外側挟持片２０に取付けられる。
【００２６】
より詳細には、図５に示すように、外側挟持片２０は、連結部１１を構成する側壁２２を一端に有し、互いに向かって延設される係合部２３がそれぞれ設けられる２つの対向する押圧部２４を他端に有し、外側挟持片２０の外側位置に飾り部２１を有する。
【００２７】
内側挟持片３０は、側壁２２に回動自在に枢支される突部３４を一端に有し、係合部２３を係合するための被係合部３５を他端に有する。飾り部２１は、外側挟持片２０を覆う矩形板状の合成樹脂材からなるが、造花、貴金属、その他の装飾品等であってもよい。
【００２８】
以上、本発明の実施形態について説明したが、本発明はこの実施形態に限定されるものではなく、その趣旨を逸脱しない範囲での変更が可能である。例えば、滑り止め部材４０においては、内側挟持片３０の長手寸法よりも短くカットされるシリコンチューブを複数個被着することもできる。その際には、チューブ同士所定間隔を有した状態で被着してもよく、一部重ねて被着させてもよい。
【符号の説明】
【００２９】
１０  挟持片
２０  外側挟持片
３０  内側挟持片
４０  滑り止め部材
５０  溶液
【図１】
2018068530.tif 000003
【図２】
2018068530.tif 000004
【図３】
2018068530.tif 000005
【図４】
2018068530.tif 000006
【図５】
2018068530.tif 000007